(57)【要約】【課題】蒸気の発生量を増加しても、オーブン性能を維持することができる加熱調理器を提供する。【解決手段】上ヒータ収納部２５は、水溜まり部１１３と蒸気吹出口１１１とを有する。このため、加熱庫８内の被調理物を加熱する上加熱用ヒータ２６を、水溜まり部１１３の水を加熱して蒸気を生成することにも利用できる。【選択図】図４
2011112329.tif 000002
【特許請求の範囲】
【請求項１】
ケーシングと、
このケーシング内に設けられると共に前方に開口して被調理物を収容する加熱庫と、
この加熱庫に隣り合って配置されるヒータ収納部と、
このヒータ収納部内に配置されると共に上記加熱庫内の被調理物を加熱する加熱用ヒータと、
上記ヒータ収納部内に水を供給する水供給部と
を備え、
上記ヒータ収納部は、
上記水供給部によって供給された水を溜める水溜まり部と、
この水溜まり部に溜められた水から上記加熱用ヒータの加熱によって生成された蒸気を、上記加熱庫内に吹き出す蒸気吹出口と
を有することを特徴とする加熱調理器。
【請求項２】
請求項１に記載の加熱調理器において、
上記ヒータ収納部は、上記加熱庫よりも上側に配置され、
上記ヒータ収納部は、上記蒸気吹出口が設けられた底板を有し、
この底板は、上記加熱庫の天面を定義し、
この底板は、上記蒸気吹出口の周囲に、上方に突出する壁部を有することを特徴とする加熱調理器。
【請求項３】
請求項２に記載の加熱調理器において、
上記底板の上記壁部は、バーリング加工により、形成されていることを特徴とする加熱調理器。
【請求項４】
請求項１から３の何れか一つに記載の加熱調理器において、
上記水供給部は、上記加熱庫内に供給する蒸気を発生する蒸気発生部であることを特徴とする加熱調理器。
【請求項５】
請求項４に記載の加熱調理器において、
上記蒸気発生部に水を供給する給水ポンプと、
この給水ポンプを制御する制御部と
を有し、
この制御部は、上記ヒータ収納部内に水を供給するとき、上記蒸気発生部内の水を溢れさせこの溢れた水を上記ヒータ収納部の上記水溜まり部に供給するように、上記給水ポンプを制御することを特徴とする加熱調理器。
【請求項６】
請求項５に記載の加熱調理器において、
上記ヒータ収納部は、上記水溜まり部に供給される水の水位を検出する水位検出部を有し、
上記制御部は、上記水位検出部の検出に基づいて、上記給水ポンプを制御することを特徴とする加熱調理器。
【発明の詳細な説明】
【技術分野】
【０００１】
この発明は、加熱調理器に関する。
【背景技術】
【０００２】
従来、加熱調理器としては、前方に開口して被調理物を収容する加熱庫と、この加熱庫内の被調理物を加熱する加熱用ヒータ（つまり、オーブン調理用ヒータ）と、上記加熱庫内に供給する蒸気を発生する蒸気発生部とを備えたものがある（特開２００８−２５９６１６号公報：特許文献１参照）。
【０００３】
しかしながら、上記従来の加熱調理器では、上記加熱用ヒータは、被調理物を加熱するのみであり、水を加熱して蒸気を発生することはなかった。このため、蒸気の発生量を増加するとき、蒸気発生部の蒸気発生用ヒータの使用電力を増加する一方、加熱用ヒータの使用電力を減少する必要があった。これは、装置の熱源の使用電力の総和が制限されているからである。
【０００４】
したがって、蒸気を多く発生するために、蒸気発生用ヒータの使用電力を増加すると、加熱用ヒータの使用電力を減少することになり、オーブン調理性能を低下させる問題があった。
【先行技術文献】
【特許文献】
【０００５】
【特許文献１】特開２００８−２５９６１６号公報
【発明の概要】
【発明が解決しようとする課題】
【０００６】
そこで、この発明の課題は、蒸気の発生量を増加しても、オーブン性能を維持することができる加熱調理器を提供することにある。
【課題を解決するための手段】
【０００７】
上記課題を解決するため、この発明の加熱調理器は、
ケーシングと、
このケーシング内に設けられると共に前方に開口して被調理物を収容する加熱庫と、
この加熱庫に隣り合って配置されるヒータ収納部と、
このヒータ収納部内に配置されると共に上記加熱庫内の被調理物を加熱する加熱用ヒータと、
上記ヒータ収納部内に水を供給する水供給部と
を備え、
上記ヒータ収納部は、
上記水供給部によって供給された水を溜める水溜まり部と、
この水溜まり部に溜められた水から上記加熱用ヒータの加熱によって生成された蒸気を、上記加熱庫内に吹き出す蒸気吹出口と
を有することを特徴としている。
【０００８】
この発明の加熱調理器によれば、上記ヒータ収納部は、上記水溜まり部と上記蒸気吹出口とを有するので、加熱庫内の被調理物を加熱する加熱用ヒータを、水溜まり部の水を加熱して蒸気を生成することにも利用できる。つまり、加熱用ヒータは、被調理物を加熱しつつ蒸気を発生する。
【０００９】
このため、例えば、蒸気を発生する蒸気発生用ヒータを別途設けている場合、蒸気の発生量を増加するとき、蒸気発生用ヒータの使用電力を増加し加熱用ヒータの使用電力を減少しなくても、加熱用ヒータにより蒸気を発生することができる。
【００１０】
したがって、加熱用ヒータの使用電力の減少による加熱性能（つまりオーブン性能）の低下がなく、蒸気の発生量を増加することができる。つまり、加熱性能を維持しつつ、蒸気の発生量を増加できる。
【００１１】
また、一実施形態の加熱調理器では、
上記ヒータ収納部は、上記加熱庫よりも上側に配置され、
上記ヒータ収納部は、上記蒸気吹出口が設けられた底板を有し、
この底板は、上記加熱庫の天面を定義し、
この底板は、上記蒸気吹出口の周囲に、上方に突出する壁部を有する。
【００１２】
この実施形態の加熱調理器によれば、上記底板は、上記蒸気吹出口の周囲に壁部を有するので、この壁部により、蒸気吹出口から水が漏れ出るのを防ぐことができる。したがって、上記水溜まり部を簡単に形成できる。
【００１３】
また、一実施形態の加熱調理器では、上記底板の上記壁部は、バーリング加工により、形成されている。
【００１４】
この実施形態の加熱調理器によれば、上記底板の上記壁部は、バーリング加工により、形成されているので、壁部を簡単に形成できる。
【００１５】
また、一実施形態の加熱調理器では、上記水供給部は、上記加熱庫内に供給する蒸気を発生する蒸気発生部である。
【００１６】
この実施形態の加熱調理器によれば、上記水供給部は、上記蒸気発生部であるので、蒸気を発生する蒸気発生部を、ヒータ収納部内への水の供給にも利用できる。したがって、コストの低減と装置の小型化を実現できる。
【００１７】
また、一実施形態の加熱調理器では、
上記蒸気発生部に水を供給する給水ポンプと、
この給水ポンプを制御する制御部と
を有し、
この制御部は、上記ヒータ収納部内に水を供給するとき、上記蒸気発生部内の水を溢れさせこの溢れた水を上記ヒータ収納部の上記水溜まり部に供給するように、上記給水ポンプを制御する。
【００１８】
この実施形態の加熱調理器によれば、上記制御部は、上記ヒータ収納部内に水を供給するとき、上記蒸気発生部内の水を溢れさせこの溢れた水を上記ヒータ収納部の上記水溜まり部に供給するように、上記給水ポンプを制御するので、簡単な構成でヒータ収納部内に水を供給できる。
【００１９】
また、一実施形態の加熱調理器では、
上記ヒータ収納部は、上記水溜まり部に供給される水の水位を検出する水位検出部を有し、
上記制御部は、上記水位検出部の検出に基づいて、上記給水ポンプを制御する。
【００２０】
この実施形態の加熱調理器によれば、上記制御部は、上記水位検出部の検出に基づいて、上記給水ポンプを制御するので、水溜まり部から水が溢れ出ることを防止できる。
【発明の効果】
【００２１】
この発明の加熱調理器によれば、上記ヒータ収納部は、上記水溜まり部と上記蒸気吹出口とを有するので、蒸気の発生量を増加しても、オーブン性能を維持することができる。
【図面の簡単な説明】
【００２２】
【図１】本発明の加熱調理器の一実施形態を示す正面図である。
【図２Ａ】ケーシングの天部および両側部が取り外された加熱調理器を前方の斜め上方から見た斜視図である。
【図２Ｂ】扉部が開いた状態の加熱調理器の斜視図である。
【図３】加熱調理器を後方の斜め上方から見た斜視図である。
【図４】図２ＡのＡ−Ａ断面図である。
【図５】図４の拡大図である。
【図６】上ヒータ収納部の水溜まり部への給水を説明する説明図である。
【発明を実施するための形態】
【００２３】
以下、この発明を図示の実施の形態により詳細に説明する。
【００２４】
図１は、この発明の加熱調理器の一実施形態である正面図を示している。図１に示すように、上記加熱調理器は、ケーシング１と、このケーシング１の前面側に取り付けられたスライド開閉式の把手付きの扉部２とを備えている。
【００２５】
上記ケーシング１の前面側には、閉鎖時の扉部２と隣り合うように操作パネル３を設けている。扉部２と操作パネル３の下方には、排気受け部の一例としての露受容器４を配置している。
【００２６】
上記操作パネル３に、略円筒形状のダイヤル５を回転自在に取り付けている。また、操作パネル３は、液晶表示部７を有し、この液晶表示部７がダイヤル５の操作に応じた表示を行う。
【００２７】
上記露受容器４は、ケーシング１の底部の前側に設けられた２つの前脚６，６に着脱可能な容器である。そして、露受容器４を前方から後方に向かってケーシング１の下側に挿入して前脚６，６に取り付けると、露受容器４の一部が閉鎖時の扉部２の後面（裏面）の下方に位置する。これにより、扉部２を開放したとき、扉部２の後面に付着した結露水が露受容器４内に滴下するようにしている。
【００２８】
図２Ａは、上記ケーシング１の天部および両側部が取り外された加熱調理器を前方の斜め上方から見た斜視図を示し、図２Ｂは、扉部が開いた状態の加熱調理器の斜視図を示している。また、図３は、図２Ａの加熱調理器を後方の斜め上方から見た斜視図を示している。
【００２９】
図２Ａ、図２Ｂおよび図３に示すように、上記ケーシング１内には、被調理物を収容して加熱する加熱庫８を設置している。また、ケーシング１内において、加熱庫８の側方かつ操作パネル３の後方に電装品室９を設け、加熱庫８の後方かつ電装品室９の後方に吸気空間１０を設けている。電装品室９と吸気空間１０とは、間仕切壁２１により、仕切られている。この間仕切壁２１に冷却ファン１６が取り付けられている。
【００３０】
上記加熱庫８は、前方に開口する開口部８ａを有し、扉部２は、一対のレールユニット３１により前後にスライドして、開口部８ａを開閉する。このレールユニット３１は、扉部２に一端が固定された可動レールと、ケーシング１側に固定され、可動レールをスライド自在に支持する固定レールとを有する。
【００３１】
また、上記扉部２と共にトレイ３２が引き出される。この扉部２の開閉によって、トレイ３２上に載置された被調理物を、加熱庫８内から取り出したり、加熱庫８内に入れたりする。
【００３２】
また、上記加熱庫８の上方、下方、後方および両側方のそれぞれには、遮熱板１１を配置している。つまり、遮熱板１１は、加熱庫８の開口部８ａを除く周囲に配置されている。また、遮熱板１１と加熱庫８との間の空間に断熱材（図示せず）を充填している。
【００３３】
上記電装品室９内には、加熱庫８へ供給される蒸気を発生させる蒸気発生部１３と、この蒸気発生部１３に給水チューブ２０を介して接続された電装品の一例としての給水ポンプ１４と、この給水ポンプ１４の前方に配置されたタンク収納部１５とを収容している。蒸気発生部１３は、蒸気発生用ヒータ２４（図４参照）を有し、給水ポンプ１４から供給された水を加熱して蒸気を生成する。
【００３４】
上記吸気空間１０には、冷却ファン１６の駆動に伴い、ケーシング１の外側の空気が、４つの吸気口１７から流れ込む。吸気空間１０内の空気は、冷却ファン１６で電装品室９内に送られる。そして、被調理物の加熱時には、上記冷却ファン１６からの冷却風が電装品室９内を流れ、給水ポンプ１４などの電装品を冷却できるようにしている。なお、各吸気口１７はケーシング１の後部に設けられた複数のスリットで構成されている。
【００３５】
上記加熱庫８の後部に設けられた排気口に、加熱庫８の後部の上側に設置された触媒ユニット（図示せず）を介して排気チューブ１８の上流端を接続している。排気チューブ１８の下流端（排気口）を、タンク収納部１５の側方に配置された合成樹脂製の排気ダクト１９に接続している。この排気チューブ１８は、可撓性を有する合成樹脂からなり、電装品室９の後面側上部から前面側下部に渡って設置されている。
【００３６】
そして、上記加熱庫８内の気体は、排気チューブ１８と排気ダクト１９によって、ケーシング１の後部から前面側に案内されて、ケーシング１の外側に排出される。
【００３７】
図４は、図２ＡのＡ−Ａ断面図である。なお、図４では、ケーシング１内にある部材および装置の一部の図示を省略している。
【００３８】
上記加熱庫８に隣り合うように、上ヒータ収納部２５と下ヒータ収納部２８とが設けられている。
【００３９】
上記上ヒータ収納部２５は、上記加熱庫８よりも上側に配置されている。上ヒータ収納部２５は、加熱庫８内を上側から加熱すると共に過熱水蒸気を生成する。上ヒータ収納部２５は、蒸気発生部１３の上部に設けられた蒸気排出口に、水平管１１４を介して、接続されている。
【００４０】
上記上ヒータ収納部２５内には、例えばシーズヒータなどからなる上加熱用ヒータ２６を収納している。蒸気発生部１３で発生した飽和水蒸気は、上ヒータ収納部２５内に吹き出され、上加熱用ヒータ２６によって加熱されて過熱水蒸気となる。
【００４１】
上記上ヒータ収納部２５の底板１１０には、複数の蒸気吹出口１１１が設けられており、過熱水蒸気は、複数の蒸気吹出口１１１から、加熱庫８内に下方に向かって噴き出され、トレイ３２上の被調理物を加熱する。底板１１０は、加熱庫８の天面を定義する。
【００４２】
上記被調理物は、上加熱用ヒータ２６の輻射熱でも加熱される。ここで、上記過熱水蒸気とは、１００℃以上の過熱状態にまで加熱された水蒸気を意味する。一方、蒸気発生部１３からの飽和水蒸気を上加熱用ヒータ２６で加熱しない場合、その飽和水蒸気が被調理物を加熱する。
【００４３】
上記底板１１０は、上ヒータ収納部２５内の空間と加熱庫８内の空間とを隔てる隔壁として機能すると共に、上加熱用ヒータ２６に加熱されて加熱庫８内の被調理物へ輻射熱を照射する輻射板としても機能する。
【００４４】
一方、上記下ヒータ収納部２８は、上記加熱庫８よりも下側に配置されている。下ヒータ収納部２８は、加熱庫８内を下側から加熱する。上記下ヒータ収納部２８内には、例えばシーズヒータなどからなる下加熱用ヒータ２７を収納している。
【００４５】
上記下加熱用ヒータ２７は、下ヒータ収納部２８の天板１２０で完全に覆われて加熱庫８内の空間に露出していない。天板１２０は、加熱庫８の底面を定義する。これにより、上記被調理物から出た油などが滴下しても、その油などが下加熱用ヒータ２７に付着しないようして、その付着に起因する発煙や発火を防げるようになっている。また、下加熱用ヒータ２７が上記油などで汚れるのを防止できるようにもなっている。
【００４６】
上記天板１２０は、下ヒータ収納部２８内の空間と加熱庫８内の空間とを隔てる隔壁として機能すると共に、下加熱用ヒータ２７に加熱されて加熱庫８内の被調理物へ輻射熱を照射する輻射板としても機能する。
【００４７】
上記レールユニット３１，３１は板状部材３４で互いに連結されている。加熱庫８内にトレイ３２を入れている状態、つまり、加熱庫８の開口部８ａを閉じた状態で、板状部材３４が下ヒータ収納部２８に対向する。
【００４８】
図５に示すように、上記ヒータ収納部２５の底板１１０は、蒸気吹出口１１１の周囲に、上方に突出する壁部１１２を有する。この壁部１１２は、バーリング加工により、形成されている。壁部１１２の高さは、例えば３ｍｍ程度である。そして、底板１１０は、壁部１１２により区画された空間に水溜まり部１１３を形成する。
【００４９】
図６に示すように、上記蒸気発生部１３に水を供給する上記給水ポンプ１４は、制御部１３０により、制御される。この制御部１３０は、上ヒータ収納部２５内に水を供給するとき、蒸気発生部１３内の水を溢れさせこの溢れた水を上ヒータ収納部２５の水溜まり部１１３に供給するように、給水ポンプ１４を制御する。
【００５０】
ここで、「上ヒータ収納部２５内に水を供給するとき」とは、例えば、蒸し調理など蒸気量が必要な調理を行うときである。上記水溜まり部１１３に溜められた水は、上加熱用ヒータ２６によって、加熱されて、蒸気が生成される。そして、この蒸気は、蒸気発生部１３によって生成された蒸気とともに、蒸気吹出口１１１から加熱庫８内に吹き出される。
【００５１】
上記上ヒータ収納部２５は、水溜まり部１１３に供給される水の水位を検出する（水位検出部の一例としての）水位センサ１４０を有する。制御部１３０は、水位センサ１４０の検出に基づいて、給水ポンプ１４を制御する。なお、制御部１３０は、予め設定された給水ポンプ１４の回転数に基づいて、給水ポンプ１４を制御するようにしてもよい。
【００５２】
次に、上記構成の加熱調理器の作用について説明する。図２Ｂに示すように、扉部２を引き出した状態で、必要量の水を入れた給水タンク２３を、タンク収納部１５に収納した後、操作パネル３を操作して蒸気を用いた加熱調理を開始する。
【００５３】
そうすると、加熱庫８の上下に配置された上加熱用ヒータ２６と下加熱用ヒータ２７をオンにすると共に、給水ポンプ１４を駆動して、給水タンク２３内の水を蒸気発生部１３に供給し、蒸気発生部１３に供給された水を蒸気発生用ヒータ２４で加熱して、水蒸気を発生させる。
【００５４】
そして、蒸気発生部１３で発生した水蒸気が加熱庫８の上側の上ヒータ収納部２５内に吹き出し、上加熱用ヒータ２６により加熱されて１００℃以上の過熱水蒸気となる。この過熱水蒸気は、上ヒータ収納部２５の底板１１０の蒸気吹出口１１１を通って加熱庫８内に供給される。
【００５５】
これにより、加熱庫８内のトレイ３２上に載置された食品は、上ヒータ収納部２５の底板１１０からの輻射熱と天板１２０からの輻射熱、および、底板１１０の蒸気吹出口１１１から吹き出した１００℃以上の過熱水蒸気により、加熱調理される。このとき、食品表面に供給されて付着した過熱水蒸気が食品表面で凝縮して大量の凝縮潜熱を食品に与えるので、食品に熱を効率よく伝えることができる。
【００５６】
この加熱調理器では、オーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱庫内は過熱水蒸気または飽和水蒸気が充満して無酸素状態となることにより、食品の酸化を抑制した調理が可能となる。
【００５７】
そして、蒸し調理時において、図６に示すように、蒸気発生部１３への給水を増やし、蒸気発生部１３から給水をオーバーフローさせて、この水を上ヒータ収納部２５の水溜まり部１１３に貯留する。その後、蒸気発生用ヒータ２４および上加熱用ヒータ２６を同時に動作させて蒸気を発生させて調理を行う。
【００５８】
また、オーブンと蒸気を併用する調理時において、焼きを強化する場合は、上ヒータ収納部２５に給水せず、蒸気発生部１３のみで蒸気を発生させる。一方、蒸気を強化する場合は、上ヒータ収納部２５に蒸気発生部１３からのオーバーフロー水を給水して、蒸気発生用ヒータ２４および上加熱用ヒータ２６の二つの熱源によって蒸気を発生させて調理を行う。
【００５９】
このように、通常はオーブン用として活用する上加熱用ヒータ２６を、蒸気量を必要とする場合に、蒸気発生用の熱源として利用することにより、蒸気発生用ヒータ２４の容量を増やさずに蒸気発生量を増加させて、調理性能を向上させることができる。
【００６０】
なお、この加熱調理器では、蒸気を用いずに上加熱用ヒータ２６と下加熱用ヒータ２７のみを用いたオーブン調理を行ってもよいし、上加熱用ヒータ２６と下加熱用ヒータ２７を用いずに蒸気発生部１３で発生した水蒸気のみを用いた蒸し料理などを行ってもよい。
【００６１】
上記構成の加熱調理器によれば、上記上ヒータ収納部２５は、上記水溜まり部１１３と上記蒸気吹出口１１１とを有するので、加熱庫８内の被調理物を加熱する上加熱用ヒータ２６を、水溜まり部１１３の水を加熱して蒸気を生成することにも利用できる。つまり、上加熱用ヒータ２６は、被調理物を加熱しつつ蒸気を発生する。
【００６２】
このため、蒸気を発生する蒸気発生用ヒータ２４を別途設けている場合、蒸気の発生量を増加するとき、蒸気発生用ヒータ２４の使用電力を増加し上加熱用ヒータ２６の使用電力を減少しなくても、上加熱用ヒータ２６により蒸気を発生することができる。
【００６３】
これは、装置の熱源の使用電力の総和が制限されているからである。例えば、蒸気発生用ヒータ２４の使用電力は、通常２５０Ｗであり、上加熱用ヒータ２６の使用電力は、通常７３０Ｗである。
【００６４】
したがって、上加熱用ヒータ２６の使用電力の減少による加熱性能（つまりオーブン性能）の低下がなく、蒸気の発生量を増加することができる。つまり、加熱性能を維持しつつ、蒸気の発生量を増加できる。
【００６５】
また、上記底板１１０は、上記蒸気吹出口１１１の周囲に壁部１１２を有するので、この壁部１１２により、蒸気吹出口１１１から水が漏れ出るのを防ぐことができる。したがって、上記水溜まり部１１３を簡単に形成できる。
【００６６】
また、上記底板１１０の上記壁部１１２は、バーリング加工により、形成されているので、壁部１１２を簡単に形成できる。
【００６７】
また、上記上ヒータ収納部２５に水を供給する水供給部は、上記蒸気発生部１３であるので、蒸気を発生する蒸気発生部１３を、上ヒータ収納部２５内への水の供給にも利用できる。したがって、コストの低減と装置の小型化を実現できる。
【００６８】
また、上記制御部１３０は、上記上ヒータ収納部２５内に水を供給するとき、上記蒸気発生部１３内の水を溢れさせこの溢れた水を上記上ヒータ収納部２５の上記水溜まり部１１３に供給するように、上記給水ポンプ１４を制御するので、簡単な構成で上ヒータ収納部２５内に水を供給できる。
【００６９】
また、上記制御部１３０は、上記水位センサ１４０の検出に基づいて、上記給水ポンプ１４を制御するので、水溜まり部１１３から水が溢れ出ることを防止できる。
【００７０】
なお、この発明は上述の実施形態に限定されない。例えば、上ヒータ収納部２５および下ヒータ収納部２８の少なくとも一方に、水溜まり部１１３や蒸気吹出口１１１を設けて、蒸気を生成させるようにしてもよい。
【００７１】
また、上ヒータ収納部２５内に水を供給する水供給部を、蒸気発生部１３以外に、他の経路から水を供給する構成としてもよい。また、水溜まり部１１３を、壁部１１２の区画にて形成せずに、蒸気吹出口１１１の周囲を凹ますようにして形成してもよい。
【符号の説明】
【００７２】
１  ケーシング
２  扉部
４  露受容器（排気受け部）
８  加熱庫
９  電装品室
１０  吸気空間
１３  蒸気発生部（水供給部）
１４  給水ポンプ
１５  タンク収納部
１６  冷却ファン
１８  排気チューブ（排気通路）
１９  排気ダクト
２２  排出口
２３  給水タンク
２４  蒸気発生用ヒータ
２５  上ヒータ収納部
２６  上加熱用ヒータ
２７  下加熱用ヒータ
２８  下ヒータ収納部
１１０  底板
１１１  蒸気吹出口
１１２  壁部
１１３  水溜まり部
１１４  水平管
１２０  天板
１３０  制御部
１４０  水位センサ（水位検出部）
【図１】
2011112329.tif 000003
【図２Ａ】
2011112329.tif 000004
【図２Ｂ】
2011112329.tif 000005
【図３】
2011112329.tif 000006
【図４】
2011112329.tif 000007
【図５】
2011112329.tif 000008
【図６】
2011112329.tif 000009